(57)【要約】【課題】複数のパイプが連結されても、光源からの光の連続性を充分に確保することができるライトガイド型照明装置を提供することにある。【解決手段】透光性を有するパイプ（１）とこのパイプ（１）に繋がる光源（５）とを設けたライトガイド型照明装置であって、上記パイプ（１）の端部のうち、上記光源（５）に繋がる端部とは反対側の端部に別のパイプ（１）を連結して連結部分（１１）を形成するとともに、この連結部分（１１）に半透明タイプのシリコンパッキンで形成された連結部材（２）を介在させて、この連結部材（２）の外周を巻くようにクランプ（３）を設けた。【選択図】    図１
2004199987.tif 000002
【特許請求の範囲】
【請求項１】
透光性を有するパイプとこのパイプに繋がる光源とを設けたライトガイド型照明装置であって、上記パイプの端部のうち、上記光源に繋がる端部とは反対側の端部に別のパイプを連結して連結部分を形成するとともに、この連結部分に半透明タイプのシリコンパッキンで形成された連結部材を介在させて、この連結部材の外周を巻くようにクランプを設けたことを特徴とするライトガイド型照明装置。
【請求項２】
上記連結部材が、半透明タイプのシリコンパッキンに代えてシート状の透明ポリカーボネートであることを特徴とする請求項１記載のライトガイド型照明装置。
【請求項３】
上記クランプが、アクリル樹脂で形成されたものであることを特徴とする請求項１または請求項２記載のライトガイド型照明装置。
【請求項４】
上記パイプどうしが、直列に連結されたものであることを特徴とする請求項１ないし請求項３いずれか記載のライトガイド型照明装置。
【発明の詳細な説明】
【０００１】
【発明の属する技術分野】
本発明は、ライトガイド型照明装置に関し、さらに詳しくは、透光性を有するパイプを用いて光源からの光を遠方に導きながら、同パイプの経路途中で光を放出させて光らせることができるライトガイド型照明装置に関するものである。
【０００２】
【従来の技術】
従来のライトガイド型照明装置としては、例えば、下記の特許文献１に示されるようなものが知られており、具体的には、図４に示すごとく、透光性を有するとともに、内面に導光性を有する導光材を配したパイプ（１）を用いて、光源（５）からの光を遠方に導きながら、このパイプ（１）の経路途中で光を徐々に外部に放出するものである。そして、同パイプ（１）の開放端部と、光源（５）とこの光源（５）の周囲を覆って一端側の投光開口から光を照射する反射鏡（１３）とからなる光源部（４）の開放された投光用開口部といったような連結部分（１１）においては、気密的に接合して防水構造としており、光源部（４）の内部空間と複数のパイプ（１）の内部空間とを連通させていたものであった。すなわち、このような従来のライトガイド型照明装置は、個々のパイプ（１）を密閉されたものとしなくても、防水構造を得ることができるものであった。
【０００３】
また、上記光源部（４）においては、同図に示すごとく、その投光側の開口面に配したガラス（６）を浮かせた状態で保持することによって、光源（５）側とパイプ（１）側との間に通気のための隙間を確保しており、さらには、光源部（４）のハウジングには、外気との間の通気を図る通気口（１７）を設けているものであった。なお、上記光源部（４）から蓋（１６）に平面反射板（１９）を取り付けたものとして形成されたエンドレフレクタ（１５）に至るまでの内部空間がすべて繋がっていたことから、上記通気口（１７）としては、連結材（１４）あるいはエンドレフレクタ（１５）に設けるようにしても良いものであった。
【０００４】
さらに、同図に示すごとく、上記通気口（１７）において、内部にごみや埃が浸入してしまうのを防ぐために、必要に応じて、フィルター（１８）を備えているものであった。
【０００５】
【特許文献１】
特開２００１−１５５５０３号公報
【０００６】
【発明が解決しようとする課題】
しかしながら、このような従来のライトガイド型照明装置においては、複数のパイプ（１）どうしを連結させても、個々のパイプ（１）を密閉されたものとすることなく、充分な防水構造を得ることができるものの、パイプ（１）どうしの連結部分（１１）において、光源（５）からの光が透光され難いものであり、この連結部分（１１）で光が外部に放出されにくく、結果として、同光源（５）からの光の連続性が確保し難いものであった。
【０００７】
本発明は、上述の事実に鑑みてなされたものであって、その目的とするところは、複数のパイプが連結されても、光源からの光の連続性を充分に確保することができるライトガイド型照明装置を提供することにある。
【０００８】
【課題を解決するための手段】
本発明の請求項１に係るライトガイド型照明装置は、透光性を有するパイプ（１）とこのパイプ（１）に繋がる光源（５）とを設けたライトガイド型照明装置であって、上記パイプ（１）の端部のうち、上記光源（５）に繋がる端部とは反対側の端部に別のパイプ（１）を連結して連結部分（１１）を形成するとともに、この連結部分（１１）に半透明タイプのシリコンパッキンで形成された連結部材（２）を介在させて、この連結部材（２）の外周を巻くようにクランプ（３）を設けたことを特徴とする。
【０００９】
本発明の請求項２に係るライトガイド型照明装置は、上記連結部材（２）が、半透明タイプのシリコンパッキンに代えてシート状の透明ポリカーボネート（１２）であることを特徴とする。
【００１０】
本発明の請求項３に係るライトガイド型照明装置は、上記クランプ（３）が、アクリル樹脂で形成されたものであることを特徴とする。
【００１１】
本発明の請求項４に係るライトガイド型照明装置は、上記パイプ（１）どうしが、直列に連結されたものであることを特徴とする。
【００１２】
【発明の実施の形態】
以下、本発明の実施の形態を図面を参照しながら詳しく説明する。
【００１３】
図１は、本発明の一実施形態に係るライトガイド型照明装置を示した要部の断面図である。図２は、本発明の一実施形態に係るライトガイド型照明装置において、図１とは別の要部を示した断面図である。図３は、本発明の他の一実施形態に係るライトガイド型照明装置を示した要部の断面図である。
【００１４】
本発明のライトガイド型照明装置は、図１ないし図３に示すごとく、透光性を有するパイプ（１）とこのパイプ（１）に繋がる光源（５）とを設けたライトガイド型照明装置であって、上記パイプ（１）の端部のうち、上記光源（５）に繋がる端部とは反対側の端部に別のパイプ（１）を連結して連結部分（１１）を形成するとともに、この連結部分（１１）に半透明タイプのシリコンパッキンで形成された連結部材（２）を介在させて、この連結部材（２）の外周を巻くようにクランプ（３）を設けているものである。
【００１５】
上記パイプ（１）は、透光性を有しているものである。このパイプ（１）は、通常ライトチューブや発光チューブといわれているものであり、その両端が開放されているものである。図１に示すごとく、このパイプ（１）の開放された両端のうち、一端側に上記光源（５）を有している光源部（４）が接続されて、同パイプ（１）の一端からの光を他端へと導くようになされているものである。そして、このパイプ（１）の内面には、導光性を有する導光材が配されていてもかまわないものである。なお、このパイプ（１）の形状としては、特に制限されるものではないが、例えば、図１ないし図３に示すごとく、円筒状のものが採用されるものである。
【００１６】
上記光源（５）は、図１に示すごとく、光源部（４）に設けられており、上記パイプ（１）に繋がっているものである。この光源（５）の周囲には、照射された光を反射する反射鏡が設けられていてもかまわないものである。この光源（５）としては、通常用いられているランプと同様のものでかまわず、特に制限されるものではないものである。
【００１７】
そして、上記光源部（４）においては、図１に示すごとく、その投光側の開口面に配したガラス（６）を浮かせた状態で保持することによって、光源（５）側とパイプ（１）側との間に通気のための隙間を確保しており、さらには、光源部（４）のハウジングには、外気との間の通気を図る通気部（７）を設けているものである。
【００１８】
また、上記光源部（４）は、図１に示すように、パイプ（１）側のフランジ（９）との接続用バックル（１０）を解除するとともに、固定用の固定ピン（８）を外して、同光源部（４）をパイプ（１）の軸方向である後方へスライドさせれば下方側へ回転させることができるようになっていることで、光源（５）の交換作業を容易に行えるような対応を図っているものである。
【００１９】
上記連結部分（１１）は、図１ないし図３に示すごとく、上記パイプ（１）の端部のうち、上記光源（５）に繋がる端部とは反対側の端部に別のパイプ（１）を連結して形成されているものである。本発明では、この連結部分（１１）に半透明タイプのシリコンパッキンで形成された連結部材（２）を介在させているものである。このようにして、この連結部分（１１）においての密閉性が向上されているとともに、防水性が高められているものである。すなわち、このようにして、同連結部分（１１）での防水性が充分に確保されているものであり、屋外であっても充分使用に耐えうるものである。なお、シリコンパッキンとしては、通常ゴム状のものである。
【００２０】
上記クランプ（３）は、図１ないし図３に示すごとく、上記連結部材（２）の外周を巻くように設けられているものである。このクランプ（３）は、上記連結部材（２）を含めてパイプ（１）どうしの間を締め付けているものであり、同クランプ（３）により、パイプ（１）どうしの間での連結部材（２）による連結を確実なものとしているものである。このクランプ（３）の材質としては、通常ステンレスが採用されるものであるが、クランプ（３）としての強度を充分に得ることができれば、その他の材質のものであってもかまわないものである。そして、このクランプ（３）の形状としては、上記パイプ（１）や上記連結部材（２）の形状に応じて設定されることは言うまでもないことである。
【００２１】
なお、上述した点は、上記パイプ（１）どうしの間での連結部材（２）による連結に限らず、図１に示すごとき上記パイプ（１）と上記光源部（４）との間での連結部材（２）による連結においても、同様に行えることは言うまでもないことである。
【００２２】
本発明は、このような構成をとることによって、複数のパイプ（１）どうしを連結させても、半透明タイプのシリコンパッキンで形成された連結部材（２）とこの連結部材（２）の外周を巻くようにクランプ（３）を設けているために、個々のパイプ（１）を密閉されたものとすることなく、充分な防水構造を確実に得ることができながら、連結部分（１１）に介在させているものが半透明タイプのシリコンパッキンで形成された連結部材（２）であることで、パイプ（１）どうしの連結部分（１１）においても、光源（５）からの光が確実に透光されて、この連結部分（１１）でも光が外部に確実に放出されるものとなり、結果として、同光源（５）からの光の連続性が確保されるものとなる。
【００２３】
すなわち、本発明は、複数のパイプ（１）が連結されても、光源（５）からの光の連続性を充分に確保することができるものである。
【００２４】
また、図３に示すごとく、上記連結部材（２）が、半透明タイプのシリコンパッキンに代えてシート状の透明ポリカーボネート（１２）であると、複数のパイプ（１）どうしを連結させても、個々のパイプ（１）を密閉されたものとする必要がなく、半透明タイプのシリコンパッキンに代えてシート状の透明ポリカーボネート（１２）である連結部材（２）にてパイプ（１）どうしの連結部分（１１）においても、光源（５）からの光がより一層確実に透光されて、この連結部分（１１）でも光が外部により一層確実に放出されるものとなり、結果として、同光源（５）からの光の連続性がより一層確保されるものとなる。すなわち、複数のパイプ（１）が連結されても、光源（５）からの光の連続性をより一層充分に確保することができるものである。
【００２５】
なお、上記連結部材（２）が、半透明タイプのシリコンパッキンに代えてシート状の透明ポリカーボネート（１２）を採用されている場合、屋内などで使用されるのに特に有用なものであり、光源（５）からの光を確実に無駄なく透過させることができるものである。
【００２６】
さらに、上記クランプ（３）が、アクリル樹脂で形成されたものであると、複数のパイプ（１）どうしを連結させても、個々のパイプ（１）を密閉されたものとすることなく、充分な防水構造を確実に得ることができながら、アクリル樹脂で形成されたクランプ（３）にてパイプ（１）どうしの連結部分（１１）においても、光源（５）からの光がより一層確実に透光されて、この連結部分（１１）でも光が外部により一層確実に放出されるものとなり、結果として、同光源（５）からの光の連続性がより一層確保されるものとなる。すなわち、複数のパイプ（１）が連結されても、光源（５）からの光の連続性をより一層充分に確保することができるものである。
【００２７】
そして、図１ないし図３に示すごとく、上記パイプ（１）どうしが、直列に連結されたものであると、光源（５）からの光が直列に連結されたパイプ（１）をまっすぐに透り抜けるために、光源（５）からの光を遠方に導きながら、同パイプ（１）の経路途中で光を放出させて光らせることが充分にできて、その結果、このように複数のパイプ（１）が連結されても、光源（５）からの光の連続性をより一層充分に確保することができるものである。
【００２８】
本発明のライトガイド型照明装置によると、図１ないし図３に示すごとく、透光性を有するパイプ（１）とこのパイプ（１）に繋がる光源（５）とを設けたライトガイド型照明装置であって、上記パイプ（１）の端部のうち、上記光源（５）に繋がる端部とは反対側の端部に別のパイプ（１）を連結して連結部分（１１）を形成するとともに、この連結部分（１１）に半透明タイプのシリコンパッキンで形成された連結部材（２）を介在させて、この連結部材（２）の外周を巻くようにクランプ（３）を設けたので、複数のパイプ（１）どうしを連結させても、半透明タイプのシリコンパッキンで形成された連結部材（２）とこの連結部材（２）の外周を巻くようにクランプ（３）を設けているために、個々のパイプ（１）を密閉されたものとすることなく、充分な防水構造を確実に得ることができながら、連結部分（１１）に介在させているものが半透明タイプのシリコンパッキンで形成された連結部材（２）であることで、パイプ（１）どうしの連結部分（１１）においても、光源（５）からの光が確実に透光されて、この連結部分（１１）でも光が外部に確実に放出されるものとなり、結果として、同光源（５）からの光の連続性が確保されるものとなる。
【００２９】
すなわち、本発明は、複数のパイプ（１）が連結されても、光源（５）からの光の連続性を充分に確保することができるものである。
【００３０】
【発明の効果】
本発明の請求項１に係るライトガイド型照明装置によると、複数のパイプ（１）どうしを連結させても、半透明タイプのシリコンパッキンで形成された連結部材（２）とこの連結部材（２）の外周を巻くようにクランプ（３）を設けているために、個々のパイプ（１）を密閉されたものとすることなく、充分な防水構造を確実に得ることができながら、連結部分（１１）に介在させているものが半透明タイプのシリコンパッキンで形成された連結部材（２）であることで、パイプ（１）どうしの連結部分（１１）においても、光源（５）からの光が確実に透光されて、この連結部分（１１）でも光が外部に確実に放出されるものとなり、結果として、同光源（５）からの光の連続性が確保されるものとなる。
【００３１】
すなわち、本発明は、複数のパイプ（１）が連結されても、光源（５）からの光の連続性を充分に確保することができるものである。
【００３２】
本発明の請求項２に係るライトガイド型照明装置によると、請求項１記載の場合に加えて、複数のパイプ（１）どうしを連結させても、個々のパイプ（１）を密閉されたものとする必要がなく、半透明タイプのシリコンパッキンに代えてシート状の透明ポリカーボネート（１２）である連結部材（２）にてパイプ（１）どうしの連結部分（１１）においても、光源（５）からの光がより一層確実に透光されて、この連結部分（１１）でも光が外部により一層確実に放出されるものとなり、結果として、同光源（５）からの光の連続性がより一層確保されるものとなる。すなわち、複数のパイプ（１）が連結されても、光源（５）からの光の連続性をより一層充分に確保することができるものである。
【００３３】
本発明の請求項３に係るライトガイド型照明装置によると、請求項１または請求項２記載の場合に加えて、複数のパイプ（１）どうしを連結させても、個々のパイプ（１）を密閉されたものとすることなく、充分な防水構造を確実に得ることができながら、アクリル樹脂で形成されたクランプ（３）にてパイプ（１）どうしの連結部分（１１）においても、光源（５）からの光がより一層確実に透光されて、この連結部分（１１）でも光が外部により一層確実に放出されるものとなり、結果として、同光源（５）からの光の連続性がより一層確保されるものとなる。すなわち、複数のパイプ（１）が連結されても、光源（５）からの光の連続性をより一層充分に確保することができるものである。
【００３４】
本発明の請求項４に係るライトガイド型照明装置によると、請求項１ないし請求項３いずれか記載の場合に加えて、光源（５）からの光が直列に連結されたパイプ（１）をまっすぐに透り抜けるために、光源（５）からの光を遠方に導きながら、同パイプ（１）の経路途中で光を放出させて光らせることが充分にできて、その結果、このように複数のパイプ（１）が連結されても、光源（５）からの光の連続性をより一層充分に確保することができるものである。
【図面の簡単な説明】
【図１】本発明の一実施形態に係るライトガイド型照明装置を示した要部の断面図である。
【図２】本発明の一実施形態に係るライトガイド型照明装置において、図１とは別の要部を示した断面図である。
【図３】本発明の他の一実施形態に係るライトガイド型照明装置を示した要部の断面図である。
【図４】一従来例に係るライトガイド型照明装置を示した断面図である。
【符号の説明】
１    パイプ
２    連結部材
３    クランプ
５    光源
１１  連結部分
１２  透明ポリカーボネート
【図１】
2004199987.tif 000003
【図２】
2004199987.tif 000004
【図３】
2004199987.tif 000005
【図４】
2004199987.tif 000006